(57)【要約】【課題】安価なコストで製造可能であって、しかも確実に基材とガスケットが一体化されたシール構造体を得る。【解決手段】ガスケット保持溝２１を有する基材２を成形し、前記ガスケット保持溝２１の溝肩２１ａ，２１ａにクサビ手段３３，３３を食い込ませることにより、前記溝肩２１ａ，２１ａをガスケット保持溝２１の内側面２１ｂ，２１ｂからせり出すように塑性変形させ、ガスケット成形用金型３の内面とガスケット保持溝２１との間に画成したキャビティ５内に成形用ゴム材料を充填することによりガスケットを成形する。クサビ手段３３，３３により塑性変形した溝肩２１ａ，２１ａが、キャビティ５内で成形されるガスケットをガスケット保持溝２１に拘束するアンダーカット２２，２２となるので、ガスケットが基材２に一体化されたシール構造体が得られる。【選択図】図３
2008232160.tif 000002
【特許請求の範囲】
【請求項１】
ガスケット保持溝を有する基材を成形する工程と、
前記ガスケット保持溝の溝肩にクサビ手段を食い込ませることにより、前記溝肩を前記ガスケット保持溝の内側面からせり出すように塑性変形させる工程と、
ガスケット成形用金型の内面と前記ガスケット保持溝との間に画成したキャビティ内に成形用ゴム材料を充填することによりガスケットを成形する工程と、
からなることを特徴とする基材一体型シール構造体の製造方法。
【請求項２】
クサビ手段が、ガスケット成形用金型に形成され、クサビ手段を食い込ませることにより溝肩を塑性変形させる工程を、ガスケット成形用金型の型締めにより行うことを特徴とする請求項１に記載の基材一体型シール構造体の製造方法。
【発明の詳細な説明】
【技術分野】
【０００１】
本発明は、小型携帯端末機器、ＨＤＤなどの精密機器のケースや電力装置等のシール手段として用いられる基材一体型シール構造体の製造方法に関する。
【背景技術】
【０００２】
携帯電話機などの小型携帯端末機器は、機内へダストや水などが侵入するのを防止するため、外殻ケースの合わせ面に、ゴム状弾性材料からなるガスケットを一体化させたシール構造体を設けている。
【０００３】
図８は、従来の技術による精密機器の外殻ケースのシール構造体を示す断面図で、すなわちこの種のシール構造体１００は、外殻ケース等を構成する一対の合成樹脂製基材のうち、一方の基材１０１における他方の基材（不図示）との合わせ面に、その外周に沿って無端状に連続したガスケット保持溝１０１ａを形成し、このガスケット保持溝１０１ａに、ゴム状弾性材料からなるガスケット１０２を一体に成形したものである。
【０００４】
なお、合成樹脂等からなる基材に形成した溝にゴム状弾性材料からなるガスケットを設けたシール構造体としては、下記の特許文献１に記載のものが知られている。
【特許文献１】特開２００５−３１８１号公報
【０００５】
ここで、基材１０１に形成したガスケット保持溝１０１ａに、ゴム状弾性材料からなるガスケット１０２を一体的に成形するには、合成樹脂製の基材１０１に対する接着性（自己接着性）を有するゴム成形材料を用いるか、ガスケット保持溝１０１ａの内面に接着剤を塗布し、ガスケット１０２の成形に合成樹脂に対する接着性のないゴム成形材料を用いて、成形と同時にこのガスケット１０２を前記接着剤によりガスケット保持溝１０１ａの内面に接着するか、あるいはガスケット保持溝１０１ａを、ガスケット１０２を拘束可能なアンダーカット形状に形成して、合成樹脂に対する接着性のないゴム成形材料で成形する、といった方法が考えられる。
【０００６】
しかしながら、合成樹脂に対する接着性を有するゴム成形材料を用いる場合は、基材１０１の成形に用いられる合成樹脂材料と、ガスケット１０２の成形に用いられる自己接着性ゴム材料を、接着の相性を考慮して選択する必要があり、材料選択が著しく制約される問題がある。
【０００７】
また、接着剤を用いて、ガスケット１０２の成形と同時にこのガスケット１０２をガスケット保持溝１０１ａの内面に接着する方法では、ガスケット保持溝１０１ａの内面に予め接着剤を塗布する工程が必要になり、製造コストが高くなってしまう問題がある。
【０００８】
更に、ガスケット１０２を、ガスケット保持溝１０１ａに設けたアンダーカットによって一体化する場合は、金型によって基材１０１を成形すること自体が困難又は不可能になる問題がある。
【発明の開示】
【発明が解決しようとする課題】
【０００９】
本発明は、以上のような点に鑑みてなされたものであって、その技術的課題とするところは、安価なコストで製造可能であって、しかも確実に基材とガスケットが一体化されたシール構造体を得ることにある。
【課題を解決するための手段】
【００１０】
上述した技術的課題を有効に解決するための手段として、請求項１の発明に係る基材一体型シール構造体の製造方法は、ガスケット保持溝を有する基材を成形する工程と、前記ガスケット保持溝の溝肩にクサビ手段を食い込ませることにより、前記溝肩を前記ガスケット保持溝の内側面からせり出すように塑性変形させる工程と、ガスケット成形用金型の内面と前記ガスケット保持溝との間に画成したキャビティ内に成形用ゴム材料を充填することによりガスケットを成形する工程と、からなるものである。
【００１１】
上記構成によれば、基材に形成したガスケット保持溝の溝肩にクサビ手段を食い込ませてこの溝肩を前記ガスケット保持溝の内側面からせり出すように塑性変形させることによって、このせり出し部分が、その後、ガスケット成形用金型の内面とガスケット保持溝との間のキャビティ内に成形用ゴム材料を充填することにより成形されるガスケットをガスケット保持溝に拘束するアンダーカットとなるので、ガスケットが基材に一体化されたシール構造体が得られる。
【００１２】
請求項２の発明に係る基材一体型シール構造体の製造方法は、請求項１に記載の方法において、クサビ手段が、ガスケット成形用金型に形成され、クサビ手段を食い込ませることにより溝肩を塑性変形させる工程を、ガスケット成形用金型の型締めにより行うものである。このようにすれば、溝肩をガスケット保持溝の内側面からせり出すように塑性変形させるための専用の治具や工程が不要であり、溝肩へクサビ手段の食い込み工程が、ガスケット成形用金型の型締めと同時に行われる。
【発明の効果】
【００１３】
本発明に係る基材一体型シール構造体の製造方法によれば、基材一体型シール構造体を安価なコストで製造可能であって、基材におけるガスケット保持溝の溝肩にクサビ手段を食い込ませてこの溝肩をガスケット保持溝内へせり出すように塑性変形させることによって、その後、ガスケット成形用金型の内面とガスケット保持溝との間のキャビティ内で成形されるガスケットとのアンダーカットとなるので、合成樹脂に対する接着性を有するゴム成形材料や、接着剤を用いることなく、基材とガスケットが一体化されたシール構造体を製造することができる。
【００１４】
また、クサビ手段をガスケット成形用金型に設けて、クサビ手段で溝肩を塑性変形させる工程を、ガスケット成形用金型の型締めにより行うことによって、製造コストの上昇が防止される。
【発明を実施するための最良の形態】
【００１５】
以下、本発明に係る基材一体型シール構造体の製造方法の好ましい実施の形態について、図面を参照しながら説明する。図１は、基材を成形する工程を示す断面図、図２は、基材をガスケット成形用金型にセットした状態を示す断面図、図３は、ガスケット成形用金型に設けたクサビ部によって基材の溝肩を塑性変形させる工程を示す断面図、図４は、ガスケットを成形する工程を示す断面図、図５は、図１〜図４の工程によって製造された基材一体型シール構造体を示す断面図である。
【００１６】
まず図１において、参照符号１は、下型１１と上型１２を有する基材成形用金型であり、型締めによってこの下型１１と上型１２の間に画成されるキャビティ内に、成形用樹脂材料を充填することによって、基材２を成形するものである。成形用樹脂材料としては、例えば、ＰＡ（ポリアミド）、ＰＰＳ（ポリフェニレンスルフィド）、ＰＥＥＫ（ポリエーテルエーテルケトン）、ＰＰ（ポリプロピレン）、ＰＥ（ポリエチレン）、ＰＯＭ（ポリアセタール）、ＰＩ（ポリイミド）、ＰＥＴ（ポリテトラフルオロエチレン）、ＰＢＴ（ポリブチレンテレフタレート）、ＰＣ（ポリカーボネート）などの熱可塑性樹脂から選択される。
【００１７】
基材成形用金型１によって成形された基材２は、例えば携帯電話機などの外殻ケースを構成する一方のケース部材に相当するものであり、他方のケース部材（不図示）との合わせ面２ａには、外周に沿って無端状に連続したガスケット保持溝２１が形成されている。ガスケット保持溝２１は断面形状が単純な矩形状であって、アンダーカット部分が存在しないので、離型を容易に行うことができる。
【００１８】
基材成形用金型１から取り出された基材２は、図２に示されるように、ガスケット成形用金型３にセットされる。このガスケット成形用金型３は、基材２を固定する下型３１と、基材２における合わせ面２ａに対して進退可能な上型３２を有し、ガスケット保持溝２１を塞ぐように型締めされるものである。
【００１９】
上型３２には、ガスケット保持溝２１との対向面にシールリップ成形面３２ａが形成されており、その両側には、基材２におけるガスケット保持溝２１の溝肩２１ａ，２１ａの上面と対向する一対のクサビ部３３，３３が形成されている。なお、このクサビ部３３，３３は、請求項１に記載されたクサビ手段に相当するものである。
【００２０】
次に、ガスケット成形用金型３を、図３に示されるように型締めすると、その過程で、上型３２におけるシールリップ成形面３２ａの両側のクサビ部３３，３３が、基材２におけるガスケット保持溝２１の溝肩２１ａ，２１ａの上面に食い込み、これをガスケット保持溝２１の内側面２１ｂ，２１ｂからせり出すように塑性変形させる。すなわち、この塑性変形によって、ガスケット保持溝２１の内側面２１ｂ，２１ｂからせり出したアンダーカット部２２，２２が形成される。
【００２１】
次に、上述の型締めによってガスケット保持溝２１を塞ぐように存在する上型３２の内面と、前記ガスケット保持溝２１との間に、キャビティ５が画成されるので、このキャビティ５内に、図４に示されるように成形用ゴム材料４０を充填することによりガスケット４を成形する。そして、成形用ゴム材料４０が架橋硬化したら型開きすることによって、図５に示されるように、基材２とこれに一体化されたガスケット４からなる基材一体型シール構造体が得られる。
【００２２】
ガスケット４は、基材２のガスケット保持溝２１内に充填された部分である被保持部４１と、上型３２のシールリップ成形面３２ａ内で成形されガスケット保持溝２１から突出した部分であるシールリップ４２とからなる。そして、被保持部４１は、図３に示される型締め工程に際して基材２の溝肩２１ａ，２１ａが上型３２のクサビ部３３，３３が食い込んで溝内へせり出すように形成されたアンダーカット部２２，２２によって、ガスケット保持溝２１に拘束されるので、ガスケット４は、基材２に対する接着性のないゴム材料からなるものであっても、また、接着剤の塗布を行わなくても、基材２に確実に一体化される。
【００２３】
図６及び図７は、本発明に係る基材一体型シール構造体の製造方法の他の形態として、上型３２に形成されたクサビ部３３，３３の形状変更例を示す断面図である。すなわち、上述の形態では、クサビ部３３，３３をその先端が丸みをおびた形状として示したが、図６及び図７に示される例は、いずれも、クサビ部３３，３３を、略Ｖ字形の鋭利な形状として、ガスケット保持溝２１側を向いた面が、基材２の溝肩２１ａ，２１ａをガスケット保持溝２１内へせり出すように変形させやすい斜面３３ａをなしている。
【００２４】
したがって、図６及び図７の形態によれば、基材２をガスケット成形用金型３に図示のようにセットしてから、このガスケット成形用金型３を型締めすると、クサビ部３３，３３が鋭利な形状であるため、型締めの過程で、基材２におけるガスケット保持溝２１の溝肩２１ａ，２１ａの上面に容易に食い込む。したがって、型締めに対する抵抗が小さく、言い換えれば、小さな型締め力によって、容易にアンダーカット部２２，２２を形成することができる。
【００２５】
なお、上述した各形態は、本発明を、携帯電話機などの外殻ケースの分割部（合わせ面）のシール手段に適用したものとして説明したが、本発明は、その他の電子機器や精密機器、電力機器等のシール手段にも適用できる。例えば、燃料電池用セルシールの場合は、例えば燃料電池セルの導電性樹脂又は導電性充填材料−樹脂バインダ複合体などの樹脂系セパレータが基材２に相当するものとなる。
【図面の簡単な説明】
【００２６】
【図１】本発明に係る基材一体型シール構造体の製造方法の好ましい実施の形態において、基材を成形する工程を示す断面図である。
【図２】本発明に係る基材一体型シール構造体の製造方法の好ましい実施の形態において、基材をガスケット成形用金型にセットした状態を示す断面図である。
【図３】本発明に係る基材一体型シール構造体の製造方法の好ましい実施の形態において、ガスケット成形用金型に設けたクサビ部によって基材の溝肩を塑性変形させる工程を示す断面図である。
【図４】本発明に係る基材一体型シール構造体の製造方法の好ましい実施の形態において、ガスケットを成形する工程を示す断面図である。
【図５】図１〜図４の工程によって製造された基材一体型シール構造体を示す断面図である。
【図６】本発明に係る基材一体型シール構造体の製造方法の他の形態として、上型に形成されたクサビ部の形状変更例を示す断面図である。
【図７】本発明に係る基材一体型シール構造体の製造方法の他の形態として、上型に形成されたクサビ部の形状変更例を示す断面図である。
【図８】従来の技術による精密機器の外殻ケースのシール構造体を示す断面図である。
【符号の説明】
【００２７】
１  基材成形用金型
２  基材
２１  ガスケット保持溝
２１ａ  溝肩
２１ｂ  内側面
２２  アンダーカット部
３  ガスケット成形用金型
３２ａ  シールリップ成形面
３３  クサビ部（クサビ手段）
３３ａ  斜面
４  ガスケット
４０  成形用ゴム材料
４１  被保持部
４２  シールリップ
５  キャビティ
【図１】
2008232160.tif 000003
【図２】
2008232160.tif 000004
【図３】
2008232160.tif 000005
【図４】
2008232160.tif 000006
【図５】
2008232160.tif 000007
【図６】
2008232160.tif 000008
【図７】
2008232160.tif 000009
【図８】
2008232160.tif 000010